(57)【要約】【課題】  物品を収容するようになったキャリーバッグ（１０）を提供する。【解決手段】  バッグ（１０）によって収容されるべき物品の全体形体を持つ一対の主パネル（１１、１３）を含み、これらの主パネル（１１、１３）は、可撓性シート材料で形成された側壁（１５）によってそれらの周囲に亘って相互連結されており、主パネル（１１、１３）の中間で、側壁（１５）の実質的に全長に亘って折り目線（２１）が形成されている、キャリーバッグ。【選択図】  図１
2007105473.tif 000002
【特許請求の範囲】
【請求項１】
物品を収容するようになったキャリーバッグにおいて、
前記バッグによって収容されるべき物品の全体形体を持つ一対の主パネルを含み、これらの主パネルは、可撓性シート材料で形成された側壁によってそれらの周囲に亘って相互連結されており、前記主パネルの実質的に中間で、前記側壁の実質的に全長に亘って折り目線が形成されている、キャリーバッグ。
【請求項２】
請求項１に記載のキャリーバッグにおいて、
前記可撓性シート材料は、多層材料で形成されている、キャリーバッグ。
【請求項３】
請求項１又は２に記載のキャリーバッグにおいて、
前記可撓性シート材料は、適当なファブリック材料又はシート状材料で形成された外層と、内パッド層とを含む、キャリーバッグ。
【請求項４】
請求項２又は３に記載のキャリーバッグにおいて、
前記折り目線は、前記層間の相互連結部によって形成されている、キャリーバッグ。
【請求項５】
請求項４に記載のキャリーバッグにおいて、
前記相互連結部は、前記折り目線に沿った層前記の縫い合わせ部を含む、キャリーバッグ。
【請求項６】
請求項５に記載のキャリーバッグにおいて、
前記縫い合わせ部は、前記側壁の最も外側の層間を延びており、これらの層を前記パッド層とぴったりと接触した状態に保持するキャリーバッグ。
【請求項７】
請求項２又は３に記載のキャリーバッグにおいて、
前記相互連結部は、前記折り目線に沿った前記層の溶接部を含む、キャリーバッグ。
【請求項８】
請求項１乃至７のうちのいずれか一項に記載のキャリーバッグにおいて、
前記側壁は、可撓性シート材料で形成された端パネルを含み、該端パネルは、前記端パネルの幅に亘って実質的に平行に間隔が隔てられた関係の複数の第２折り目線を有する、キャリーバッグ。
【請求項９】
請求項８に記載のキャリーバッグにおいて、
前記端パネルは、前記側壁の前記折り目線と整合した中間折り目線を含む、キャリーバッグ。
【請求項１０】
請求項９に記載のキャリーバッグにおいて、
前記第２折り目線は、前記中間折り目線の各側に前記中間折り目線と実質的に平行に配置された折り目線を含む、キャリーバッグ。
【請求項１１】
請求項１０に記載のキャリーバッグにおいて、
前記第２折り目線は、前記端パネルを形成する材料の前記外層を縫い合わせることによって形成されている、キャリーバッグ。
【請求項１２】
請求項８乃至１１のうちのいずれか一項に記載のキャリーバッグにおいて、
前記端パネルは、前記中間折り目線に対して実質的に垂直な中央折り目線を含む、キャリーバッグ。
【請求項１３】
請求項１２に記載のキャリーバッグにおいて、
前記中央折り目線は、前記端パネルを形成する材料の前記外層を縫い合わせることによって形成されている、キャリーバッグ。
【請求項１４】
請求項８乃至１３のうちのいずれか一項に記載のキャリーバッグにおいて、
前記端パネルの各端と隣接した前記側壁の領域において、前記側壁には一対の末広がりの折り目線が形成されており、該末広がりの折り目線は、前記中間折り目線から前記端パネルに向かって末広がりに延びている、キャリーバッグ。
【請求項１５】
請求項８乃至１４のうちのいずれか一項に記載のキャリーバッグにおいて、
前記端パネルは、前記側壁の一体の部分を形成する、キャリーバッグ。
【請求項１６】
請求項８乃至１４のうちのいずれか一項に記載のキャリーバッグにおいて、
前記端パネルは、前記側壁に組み込んだ別体のパネルとして形成されている、キャリーバッグ。
【請求項１７】
請求項１乃至１６のうちのいずれか一項に記載のキャリーバッグにおいて、
前記主パネルは、前記可撓性シート材料で形成されている、キャリーバッグ。
【請求項１８】
請求項１乃至１６のうちのいずれか一項に記載のキャリーバッグにおいて、
前記主パネルは、実質的に剛性である、キャリーバッグ。
【請求項１９】
請求項１乃至１８のうちのいずれか一項に記載のキャリーバッグにおいて、
前記主パネルの一方は、前記キャリーバッグ内部へのアクセスを提供するため、実質的に前記主パネルの前記周囲に亘って延びる閉鎖体を含む、キャリーバッグ。
【請求項２０】
請求項１乃至１９のうちのいずれか一項に記載のキャリーバッグにおいて、
前記主パネルは、前記バッグによって持ち運ばれるべきサーフボードの全体形体を持ち、前記パネルは、サーフボードの形状と実質的に対応する形状を備えている、キャリーバッグ。
【請求項２１】
請求項２０に記載のキャリーバッグにおいて、
前記側壁は、後端にテールフィンを持つサーフボードを前記キャリーバッグが収容する場合に前記バッグがテールフィンを収容できるように、幅が可変である、キャリーバッグ。
【請求項２２】
請求項２１に記載のキャリーバッグにおいて、
前記側壁は、前記キャリーバッグの前記後端から前記前端まで全体にテーパしている、キャリーバッグ。
【請求項２３】
請求項１乃至２２のうちのいずれか一項に記載のキャリーバッグにおいて、
前記主パネルと隣接した前記側壁の前記縁部には、前記側壁を前記縁部の内側に折り畳んだとき、前記主パネルの前記縁部をぴったりと当接した関係に保持できる一組のファスナが設けられている、キャリーバッグ。
【請求項２４】
サーフボードを収容するようになったキャリーバッグにおいて、
該バッグによって収容されるべきサーフボードの全体形体を持つ一対の主パネルを含み、これらの主パネルは、可撓性シート材料で形成された側壁によってそれらの周囲に亘って相互連結されており、前記側壁を内方に折り畳むため、前記主パネルの実質的に中間で前記側壁の実質的に全長に亘って折り目線が形成されており、前記可撓性シート材料は、適当なファブリック材料又はシート状材料で形成された外層と、内パッド層とを含み、前記折り目線は、前記側壁の前記外層間を延び且つこれらの外層を前記パッド層とぴったりと接触した状態に保持する縫い合わせ部によって形成されている、キャリーバッグ。
【請求項２５】
請求項２４に記載のキャリーバッグにおいて、
前記側壁は、可撓性シート材料で形成された端パネルを含み、該端パネルは、前記側壁の前記折り目線と整合した中間折り目線と、該中間折り目線の各側にこの中間折り目線と実質的に平行に配置された第２折り目線を有する、キャリーバッグ。
【請求項２６】
請求項２５に記載のキャリーバッグにおいて、
前記端パネルは、前記中間折り目線に対して実質的に垂直な中央折り目線を含む、キャリーバッグ。
【請求項２７】
請求項２５又は２６に記載のキャリーバッグにおいて、
前記端パネルの各端と隣接した前記側壁の領域には、一対の末広がりの折り目線が形成されており、これらの折り目線は、前記中央折り目線から前記端パネルに向かって末広がりに延びている、キャリーバッグ。
【請求項２８】
請求項２４乃至２７のうちのいずれか一項に記載のキャリーバッグにおいて、
前記端パネルは、前記側壁の一体の部分を形成する、キャリーバッグ。
【請求項２９】
請求項２４乃至２８のうちのいずれか一項に記載のキャリーバッグにおいて、
前記主パネルは、可撓性シート材料で形成されている、キャリーバッグ。
【請求項３０】
請求項２４乃至２８のうちのいずれか一項に記載のキャリーバッグにおいて、
前記主パネルは、実質的に剛性である、キャリーバッグ。
【請求項３１】
請求項２４乃至３０のうちのいずれか一項に記載のキャリーバッグにおいて、
前記側壁は、後端にテールフィンを持つサーフボードを前記キャリーバッグが収容する場合に前記バッグがテールフィンを収容できるように、前記キャリーバッグの後端から前記前端まで全体にテーパしている、キャリーバッグ。
【請求項３２】
請求項２４乃至３１のうちのいずれか一項に記載のキャリーバッグにおいて、
前記主パネルと隣接した前記側壁の前記縁部には、前記側壁を前記縁部の内方に折り畳んだとき、前記主パネルの前記縁部をぴったりと当接した関係に保持できる一組のファスナが設けられている、キャリーバッグ。
【請求項３３】
サーフボードを収容するようになったキャリーバッグにおいて、
前記バッグによって収容されるべきサーフボードの全体形体を持つ一対の主パネルを含み、これらの主パネルは、可撓性シート材料で形成された側壁によってそれらの周囲に亘って相互連結されており、前記側壁を内方に折り畳むため、前記主パネルの実質的に中間で前記側壁の実質的に全長に亘って折り目線が形成されており、前記側壁は、後端にテールフィンを持つサーフボードを前記キャリーバッグが収容する場合に前記バッグがテールフィンを収容できるように、前記キャリーバッグの前記後端から前記前端まで全体にテーパしており、前記側壁は、可撓性シート材料で形成された端パネルを含み、該端パネルは、端パネルを内方に折り畳むため、前記側壁の前記折り目線と整合した中間折り目線と、前記中間折り目線の各側にこの中間折り目線と実質的に平行に配置された第２折り目線とを有し、前記端パネルは、更に、前記中間折り目線に対して実質的に垂直な中央折り目線を含み、前記端パネルの各端と隣接した前記側壁の領域には、一対の末広がりの折り目線が形成されており、これらの末広がりの折り目線は、前記中間折り目線から前記端パネルに向かって末広がりに延びている、キャリーバッグ。
【請求項３４】
請求項３３に記載のキャリーバッグにおいて、
前記可撓性シート材料は、適当なファブリック材料又はシート状材料で形成された外層と、内パッド層とを含み、前記折り目線は、前記側壁の前記外層間を延び且つこれらの外層を前記パッド層とぴったりと接触した状態に保持する縫い合わせ部によって形成されている、キャリーバッグ。
【請求項３５】
請求項３３に記載のキャリーバッグにおいて、
前記主パネルと隣接した前記側壁の前記縁部には、前記側壁を前記縁部の内側に折り畳んだとき、前記主パネルの前記縁部をぴったりと当接した関係に保持できる一組のファスナが設けられている、キャリーバッグ。
【請求項３６】
添付図面のうち、実質的に図１乃至図４Ｄを参照して本明細書中に説明したキャリーバッグ。
【発明の詳細な説明】
【技術分野】
【０００１】
本発明は、キャリーバッグに関し、更に詳細には、サーフボードやボディボード等の物品を収容するようになったキャリーバッグに関する。
【背景技術】
【０００２】
本発明の特定の用途は、サーフボードやボディボード等の持ち運びで使用できるキャリーバッグに関する。このようなキャリーバッグは、輸送時にサーフボードを保護する目的のため、及び輸送を容易にするため、サーフボードの輸送で一般的になってきている。サーフボードの場合、サーフボードを収容できるようにするためにバッグが非常に嵩張りがちであるという困難が生じ、そのため、バッグは、中に何も入っていなくても、サーフボードが入っていても持ち運びが困難であり、大きな空間を占有してしまう。この状況は、こうしたバッグが、多くの場合、バッグの側部に亘ってこぶ状になる一層のパッド材料を含む多層材料で形成されているという事実により、更に悪化する。
【発明の開示】
【発明が解決しようとする課題】
【０００３】
本発明の目的は、キャリーバッグを提供することであり、更に詳細には、サーフボードやボディボード等の物品を収容するようになったキャリーバッグを提供することである。
【課題を解決するための手段】
【０００４】
本発明は、物品を収容するようになったキャリーバッグにおいて、バッグによって収容されるべき物品の全体形体を持つ一対の主パネルを含み、これらの主パネルは、可撓性シート材料で形成された側壁によってそれらの周囲に亘って相互連結されており、主パネルの実質的に中間で、側壁の実質的に全長に亘って折り目線が形成されている、キャリーバッグを提供する。
【０００５】
好ましくは、可撓性シート材料は、多層材料で形成されている。可撓性シート材料は、好ましくは、適当なファブリック材料又はシート状材料で形成された外層と、内パッド層とを含む。折り目線は、好ましくは、層間の相互連結部によって形成されている。相互連結部は、好ましくは、折り目線に沿った層の縫い合わせ部を含む。縫い合わせ部は、好ましくは、側壁の最も外側の層間を延びており、これらの層をパッド層とぴったりと接触した状態に保持する。別の態様では、相互連結部は、折り目線に沿った層の溶接部を含む。
【０００６】
側壁は、好ましくは、可撓性シート材料で形成された端パネルを含み、この端パネルは、端パネルの幅に亘って実質的に平行に間隔が隔てられた関係の複数の第２折り目線を有する。好ましくは、端パネルは、側壁の折り目線と整合した中間折り目線を含む。第２折り目線は、好ましくは、中間折り目線の各側に中間折り目線と実質的に平行に配置された折り目線を含む。第２折り目線は、好ましくは、端パネルを形成する材料の外層を縫い合わせることによって形成されている。好ましくは、端パネルは、中間折り目線に対して実質的に垂直な中央折り目線を含む、中央折り目線は、好ましくは、端パネルを形成する材料の外層を縫い合わせることによって形成されている。
【０００７】
端パネルの各端と隣接した側壁の領域において、側壁には一対の末広がりの折り目線が形成されており、これらの末広がりの折り目線は、中間折り目線から端パネルに向かって末広がりに延びている。
端パネルは、好ましくは、側壁の一体の部分を形成する。別の態様では、端パネルは、側壁に組み込んだ別体のパネルとして形成されている。
主パネルは、好ましくは、可撓性シート材料で形成されている。別の態様では、主パネルは、実質的に剛性である。
主パネルの一方は、好ましくは、キャリーバッグ内部へのアクセスを提供するため、実質的に主パネルの周囲に亘って延びる閉鎖体を含む。
【０００８】
主パネルは、好ましくは、バッグによって持ち運ばれるべきサーフボードの全体形体を持ち、パネルは、サーフボードの形状と実質的に対応する形状を備えている。側壁は、好ましくは、後端にテールフィンを持つサーフボードをキャリーバッグが収容する場合にバッグがテールフィンを収容できるように、幅が可変である。好ましくは、側壁は、キャリーバッグの後端から前端まで全体にテーパしている。
好ましくは、主パネルと隣接した側壁の縁部には、側壁を縁部の内側に折り畳んだとき、主パネルの縁部をぴったりと当接した関係に保持できる一組のファスナが設けられている。
【０００９】
別の特徴では、本発明は、サーフボードを収容するようになったキャリーバッグにおいて、バッグによって収容されるべきサーフボードの全体形体を持つ一対の主パネルを含み、これらの主パネルは、可撓性シート材料で形成された側壁によってそれらの周囲に亘って相互連結されており、側壁を内方に折り畳むため、主パネルの中間で側壁の実質的に全長に亘って折り目線が形成されており、可撓性シート材料は、適当なファブリック材料又はシート状材料で形成された外層と、内パッド層とを含み、折り目線は、側壁の外層間を延び且つこれらの外層をパッド層とぴったりと接触した状態に保持する縫い合わせ部によって形成されている、キャリーバッグを提供する。
【００１０】
側壁は、好ましくは、可撓性シート材料で形成された端パネルを含み、この端パネルは、側壁の折り目線と整合した中間折り目線と、この中間折り目線の各側にこの中間折り目線と実質的に平行に配置された第２折り目線を有する。端パネルは、好ましくは、中間折り目線に対して実質的に垂直な中央折り目線を含む。
端パネルの各端と隣接した側壁の領域には、好ましくは、一対の末広がりの折り目線が形成されており、これらの折り目線は、中央折り目線から端パネルに向かって末広がりに延びている。端パネルは、好ましくは、側壁の一体の部分を形成する。
【００１１】
主パネルは、好ましくは、可撓性シート材料で形成されている。主パネルは、好ましくは、実質的に剛性である。
側壁は、好ましくは、後端にテールフィンを持つサーフボードをキャリーバッグが収容する場合にバッグがテールフィンを収容できるように、キャリーバッグの後端から前端まで全体にテーパしている。
主パネルと隣接した側壁の縁部には、好ましくは、側壁を縁部の内方に折り畳んだとき、主パネルの縁部をぴったりと当接した関係に保持できる一組のファスナが設けられている。
【００１２】
別の特徴では、本発明は、サーフボードを収容するようになったキャリーバッグにおいて、バッグによって収容されるべきサーフボードの全体形体を持つ一対の主パネルを含み、これらの主パネルは、可撓性シート材料で形成された側壁によってそれらの周囲に亘って相互連結されており、側壁を内方に折り畳むため、主パネルの実質的に中間で側壁の実質的に全長に亘って折り目線が形成されており、側壁は、後端にテールフィンを持つサーフボードをキャリーバッグが収容する場合にバッグがテールフィンを収容できるように、キャリーバッグの後端から前端まで全体にテーパしており、側壁は、可撓性シート材料で形成された端パネルを含み、この端パネルは、端パネルを内方に折り畳むため、側壁の折り目線と整合した中間折り目線と、中間折り目線の各側にこの中間折り目線と実質的に平行に配置された第２折り目線とを有し、端パネルは、更に、中間折り目線に対して実質的に垂直な中央折り目線を含み、端パネルの各端と隣接した側壁の領域には、一対の末広がりの折り目線が形成されており、これらの末広がりの折り目線は、中間折り目線から端パネルに向かって末広がりに延びている、キャリーバッグを提供する。
添付図面を参照して説明を行う。
【発明を実施するための最良の形態】
【００１３】
ここに説明し、添付図面に示す実施例は、サーフボードで使用するためのキャリーバッグに関する。現在使用されているキャリーバッグには、全体にサーフボードの形体を備えているという特徴がある。このため、キャリーバッグはサーフボードが入っていてもいなくても比較的大きい。また、現存のキャリーバッグは特定の形体を備えていないため、特にジュニアサーファー用のサーフボードが入っている場合に持ち運びが困難である。
図示の実施例は、バッグ１０によって持ち運ばれるべきサーフボードの全体形体を持つ一対の主パネル１１及び１３を備えたキャリーバッグ１０を含む。これらのパネル１１及び１３は、側壁１５によって相互連結されており、パネル１１及び１３間のキャリーバッグ１０の一方の側部にハンドル１７が設けられている。上パネル１１は、キャリーバッグ１０の内部へのアクセスを提供するため、パネルの周囲に亘って延びるジッパー等の閉鎖体１９と関連している。
【００１４】
側壁１５は、テールフィンを後端に備えたサーフボードをキャリーバッグ１０が収容する場合に、バッグ１０がテールフィンを収容できるようにするため、幅が可変である。
側壁１５は、適当なファブリック材料やシート状材料で形成された外層及び内パッド層を含む多層材料で形成されている。
側壁１５には、側壁全体に亘って延びる折り目線２１が設けられている。この折り目線は、主パネル１１と１３とのほぼ中間に配置されている。２１のところにある折り目線は、側壁１５の最も外側の層間を延びる縫い目線によって形成されており、これらの層をパッド層とぴったりと接触した状態に保持するのに役立つ。
【００１５】
サーフボードの後端を収容し、フィンを収容するようになったバッグ１０の後端には、側壁１５の一体の部分として形成された、全体に平らな端パネル２３が設けられている。この端パネル２３には、更に、主折り目線２１に対して垂直な中央折り目線２５が設けられている。端パネル２３には、更に、１組の第２折り目線が設けられている。これらの第２折り目線は、主折り目線２１の各側にこの主折り目線と平行に配置されている。中央折り目線２５及び第２折り目線２７もまた、端パネル２３を形成する材料の外層を縫い合わせることによって形成される。更に、後端パネル２３の各端と隣接した側壁１５の領域には、主折り目線２１から後端パネル２３に向かって末広がりに延びる、一対の末広がりの折り目線２９が形成されている。
【００１６】
図４に示すように、側壁１５を形成する材料の外層を縫い合わせることによって形成した折り目線２１、２５、２７の機能は、一つの線を提供するのに役立ち、この線を中心として側壁１５が折り畳まれることによって、側壁１５は単一の一体のエレメントをなして折り畳まれる。図５は、側壁を形成する材料の層が本発明による折り目線によって相互連結されていない場合に生じる状態を示す。図５Ｃに示すように、ひとたび側壁を折り畳むと、各層は、互いに独立して虚脱してしまう。本実施例の場合には、折り目線２１、２５、及び２７を形成することにより、後パネル２３及び側パネル１５の残りの部分等のパネルを折り目線を中心として、制御された態様で、及びバッグ１０の内部に関して内方に折り畳むことができる。更に、末広がりの折り目線２９により、端パネル２３を図４のＡ乃至Ｄに示すように閉じるとき、端パネル２３の端部によって「ダーツ」状形成部を形成できる。
【００１７】
更に、主パネル１１及び１３と隣接した側壁１５の縁部には、一組のファスナ（図示せず）が設けられている。これらのファスナにより、主パネル１１及び１３の縁部を、これらの縁部の内方に折り畳まれた側壁１５とぴったりと当接した状態に保持できる。ファスナは、ベルクロ（ＶＥＬＣＲＯ）の商標で販売されている形態のフック−ループ状ファスナで形成されている。
本発明の範囲は、必ずしも、上文中に説明した特定の範囲に限定されず、詳細には、サーフボードに関して使用される実施例による用途に限定されないということは理解されるべきである。例えば、折り目線に沿った層間の相互連結は、別の態様では、超音波溶接等の層の溶接によって、又は他の適当な種類の層の連結等によって行われてもよい。更に、端パネル２３は、側壁１５と一体であってもよいし、側壁１５に組み込んであってもよい。更に、主パネル１１及び１３は、実質的にそれらの形状を維持し、サーフボードに対して保護を提供するため、実質的に剛性であるように形成されていてもよい。
【００１８】
本明細書中に亘り、特段の表記がない限り、「含む」又は「備える」といった用語は、言及した構成要素又は構成要素群を含むということを意味するものであって、任意の他の構成要素又は構成要素群を排除するものではない。
【図面の簡単な説明】
【００１９】
【図１】図１は、実施例によるサーフボードキャリーバッグの概略斜視図である。
【図２】図２は、実施例による、側壁が虚脱状態にあるキャリーバッグの後側の図である。
【図３】図３は、端部分が拡げた状態にある、図１のキャリーバッグの後側の斜視図である。
【図４】図４のＡ、Ｂ、Ｃ、及びＤは、実施例のキャリーバッグの端パネルの折り畳み動作を示す、概略図である。
【図５】図５のＡ、Ｂ、及びＣは、本発明による折り目線が設けられていない場合の層状シート材料の折り畳みを示す、概略図である。
【符号の説明】
【００２０】
１０  バッグ１０によって持ち運ばれるべきサーフボードの全体形体を持つ一対の
１１、１３  主パネル
１５  側壁
１７  ハンドル
１９  閉鎖体
２１  折り目線
２３  端パネル
２５  中央折り目線
２７  第２折り目線
２９  末広がりの折り目線
【図１】
2007105473.tif 000003
【図２】
2007105473.tif 000004
【図３】
2007105473.tif 000005
【図４】
2007105473.tif 000006
【図５】
2007105473.tif 000007
【外国語明細書】
Carry Bag
Field of the Invention
This invention relates to carry bags in particular carry bags which are intended to accommodate items such as surfboards, body boards and the like.  
Background Art
A particular application of the invention relates to carry bags which can be utilised in carrying surfboards, body boards and the like.  Such carry bags have become common place in the transportation of surfboards for the purposes of protecting the surfboards in transportation and for ease of transportation.  In the case of surfboards the difficulty that is created is that the carry bags tend to be quite voluminous in order to be able to accommodate the surfboard and as a result can be difficult to carry and occupy a large amount of space both when empty and when containing a surfboard.  This situation is further exacerbated by the fact that they are often formed of a multi-layered material which includes a layer of a padding material which can become bunched around the sides of the bag.
Disclosure of the Invention 
The present invention provides a carry bag intended to accommodate an item, the bag comprising a pair of major panels which have the general configuration of the item to be accommodated by the bag, the major panels being interconnected around their perimeter by a side wall formed of a flexible sheet material, a fold line being formed for substantially the full extent of the side wall intermediate to the major panels.
Preferably, the flexible sheet material comprises a multi-layered material.  The flexible sheet material preferably comprises outer layers of a suitable fabric or sheet-like material and an inner padding layer
The fold line is preferably defined by an interconnection between the layers.  The interconnection preferably comprises stitching interconnecting the layers along the fold line.  The stitching preferably extends between the outer most layers of the side wall and holds these layers in close contact with the padding layer.  Alternatively, the interconnection comprises welding of the layers along the fold line.  
The side wall preferably includes an end panel formed of the flexible sheet material, the end panel having a plurality of second fold lines in substantially parallel spaced relationship across the width of the end panel.  Preferably, the end panel includes an intermediate fold line aligned with the fold line of the side wall.  The second fold lines preferably include fold lines disposed to each side of the intermediate fold line and substantially parallel thereto.  The second fold lines are preferably formed by stitching interconnecting the outer layers of the material forming the end panel.  Preferably, the end panel includes a central fold line substantially perpendicular to the intermediate fold line.  The central fold line is preferably formed by stitching interconnecting the outer layers of the material forming the end panel.
In the region of the side wall adjacent each end of the end panel, the side wall is preferably formed with a pair of divergent fold lines which extend from the intermediate fold line towards the end panel in a divergent manner.
The end panel preferably forms an integral part of the side wall.  Alternatively, the end panel is defined as a separate panel incorporated into the side wall.
The major panels are preferably formed of the flexible sheet material.  Alternatively, the major panels are substantially rigid.
One of the major panels preferably includes a closure substantially extending around the perimeter of the major panel to provide access into the interior of the carry bag.
The major panels preferably have the general configuration of a surfboard which is to be carried by the bag in that the panels are shaped to substantially correspond to the shape of the surfboard.  The side wall is preferably of varying widths such that when the carry bag accommodates a surfboard having a tail fin at the rear end, the bag can accommodate the tail fin.  Preferably, the side wall is generally tapered from the rear end to the front end of the carry bag. 
Preferably, the edges of the side wall adjacent the major panels are provided with a set of fasteners which enable the edges of the major panels to be held in close abutting relationship when the side wall is folded inwardly of the edges.  
In another aspect, the present invention provides a carry bag intended to accommodate a surfboard, the bag comprising a pair of major panels which have the general configuration of the surfboard to be accommodated by the bag, the major panels being interconnected around their perimeter by a side wall formed of a flexible sheet material, a fold line being formed for substantially the full extent of the side wall intermediate to the major panels for folding the side wall inwardly, wherein the flexible sheet material comprises outer layers of a suitable fabric or sheet-like material and an inner padding layer and wherein the fold line is defined by stitching extending between the outer layers of the side wall and holding these layers in close contact with the padding layer.
The side wall preferably includes an end panel formed of the flexible sheet material, the end panel having an intermediate fold line aligned with the fold line of the side wall and second fold lines disposed to each side of the intermediate fold line and substantially parallel thereto.  The end panel preferably includes a central fold line substantially perpendicular to the intermediate fold line.  
In the region of the side wall adjacent each end of the end panel, the side wall is preferably formed with a pair of divergent fold lines which extend from the intermediate fold line towards the end panel in a divergent manner.  The end panel preferably forms an integral part of the side wall.  The major panels are preferably formed with the flexible sheet material.   Alternatively, the major panels are substantially rigid.
The side wall is preferably generally tapered from the rear end to the front end of the carry bag such that when the carry bag accommodates a surfboard having a tail fin at the rear end, the bag can accommodate the tail fin. 
The edges of the side wall adjacent the major panels are preferably provided with a set of fasteners which enable the edges of the major panels to be held in close abutting relationship when the side wall is folded inwardly of the edges.
In another aspect, the present invention provides a carry bag intended to accommodate a surfboard, the bag comprising a pair of major panels which have the general configuration of the surfboard to be accommodated by the bag, the major panels being interconnected around their perimeter by a side wall formed of a flexible sheet material, a fold line being formed for substantially the full extent of the side wall substantially intermediate to the major panels for folding the side wall inwardly, wherein the side wall is generally tapered from the rear end to the front end of the carry bag such that when the carry bag accommodates the surfboard having a tail fin at the rear end, the bag can accommodate the tail fin, wherein the side wall includes an end panel formed of the flexible sheet material, the end panel having an intermediate fold line aligned with the fold line of the side wall and second fold lines disposed to each side of the intermediate fold line and substantially parallel thereto for folding the end panel inwardly, the end panel further including a central fold line substantially perpendicular to the intermediate fold line and wherein in the region of the side wall adjacent each end of the end panel, the side wall is formed with a pair of divergent fold lines which extend from the intermediate fold line towards the end panel in a divergent manner.
The invention will be more fully understood in the light of the following description of a specific embodiment.  
Brief Description of the Drawings
The description is made with reference to the accompanying drawings of which:  
Figure 1 comprises a schematic isometric view of a surfboard carry bag according to the embodiment;
Figure 2 is a rear view of a carry bag according to the embodiment with the side wall in a collapsed condition;
Figure 3 is rear isometric view of the carry bag of Figure 1 with the end portion being in an expanded condition; 
Figures 4A, B, C and D are schematic illustrations of the folding action of the end panel of the carry bag of the embodiment;
Figures 5A, B and C are illustrations of the folding of a layered sheet material in circumstances where a fold line according to the invention is not applied. 
Detailed Description of Specific Embodiment
The embodiment as described as shown in the accompanying drawings relates to a carry bag for use with surfboards.  There is a characteristic of the carry bags which are currently in use that they have the general configuration of a surfboard.  This creates carry bags which are relatively large when empty or containing a surfboard.  In addition because of the amorphous configuration of the existing carry bags they can be difficult to carry when containing a surfboard particularly for junior surfers.
The embodiment as shown comprises a carry bag 10 comprising a pair of major panels 11 and 13 which have the general configuration of the surfboard which is to be carried by the bag 10.  The panels 11 and 13 are interconnected by a side wall 15 and a handle 17 is provided at one side of the carry bag 10 between the panels 11 and 13.  The upper panel 11 is associated with a zipper or like closure 19 which extends around the perimeter of the panel to provide access into the interior of the carry bag 10.
The side wall 15 is of varying widths in order that when the carry bag 10 accommodates a surfboard having a tail fin at the rear end the bag 10 can accommodate the tail fin.  The side wall 15 is formed of a multi-layered material which comprises outer layers of a suitable fabric or sheet-like material and an inner padding layer.  
The side wall 15 is provided with a fold line 21 which extends for the full extent of the side wall and is located substantially intermediate of the main panels 11 and 13.  The fold line at 21 is defined by a line of stitching which extends between the outer most layers of the side wall 15 and serves to hold these layers in close intimate contact with the padding layer.
The rear end of the bag 10 which is to accommodate the rear end of the surfboard accommodating the fin is provided with an end panel 23 which is formed as an integral part of the side wall 15 and is generally planar.  The end panel 23 further accommodates a central fold line 25 which is perpendicular to the primary fold line 21.  The end panel 23 is further provided with a set of second fold lines 27 which are disposed to each side of the primary fold line 21 and parallel thereto.  The central fold line 25 and second fold lines 27 are also formed by stitching interconnecting the outer layers of the material forming the end panel 23.  In addition, in the region of the side wall 15 adjacent each end of the rear end panel 23, the side wall 15 is formed with a pair of divergent fold lines 29 which extend from the primary fold line 15 towards the rear panel 23 in a divergent manner.
As illustrated at Figure 4 the function of the fold lines 21, 25 and 27 as defined by the stitching interconnecting the outer layers of the material forming the side wall 15 serves to provide a line about which the side wall 15 will fold whereby the side wall 15 folds as a single integral element.  Figure 5 illustrates situation which is created where the layers of the material forming the side wall are not interconnected by the fold lines according to the present embodiment.  As illustrated at Figure 5C, once the side wall is caused to fold each layer will collapse independently of the others.  In the case of the of the present embodiment the formation of the fold lines 21, 25 and 27 enables a panel such as the rear panel 23 and the remainder of the side panel 15 to fold about the fold lines in a controlled manner and inwardly with respect to the interior of the bag 10.  In addition the divergent fold lines 29 enable a "dart" like formation to be formed by the ends of the end panel 23 as the end panel 23 is closed as illustrated at Figures 4A to D.
In addition the edges of the side wall 15 adjacent the major panels 11 and 13 are provided with a set of fasteners (not shown) which enable the edges of major panels 11 and 13 to be held in close abutting relationship with the side wall 15 folded inwardly of the edges.  The fasteners are formed of a hook and loop like fastener of the form which is marketed under the trade mark VELCRO.
It should be appreciated that the scope of the present invention need not be limited to the particular scope of the embodiment described above and in particular need not be limited to the application according to the embodiment of being used with a surfboard.  For example, the interconnection between the layers along the fold line can alternatively comprise welding of the layers, such as by ultrasonic welding or other suitable type of joining the layers.  Also, the end panel 23 can be integral with or incorporated with the side wall 15. Further, the major panels 11 and 13 can be made to be substantially rigid to substantially maintain their shape and provide protection for the surfboard.  
Throughout the specification, unless the context requires otherwise, the word "comprise" or variations such as "comprises" or "comprising", will be understood to imply the inclusion of a stated integer or group of integers but not the exclusion of any other integer or group of integers.
The Claims Defining the Invention are as Follows:
1. A carry bag intended to accommodate an item, the bag comprising a pair of major panels which have the general configuration of the item to be accommodated by the bag, the major panels being interconnected around their perimeter by a side wall formed of a flexible sheet material, a fold line being formed for substantially the full extent of the side wall substantially intermediate to the major panels.
2. The carry bag of claim 1 wherein the flexible sheet material comprises a multi-layered material.
3. The carry bag of claim 1 or 2 wherein the flexible sheet material comprises outer layers of a suitable fabric or sheet-like material and an inner padding layer
4. The carry bag of claim 2 or 3 wherein the fold line is defined by an interconnection between the layers.  
5.  The carry bag of claim 4 wherein the interconnection comprises stitching interconnecting the layers along the fold line.  
6. The carry bag of claim 5 wherein the stitching extends between the outer most layers of the side wall and holds these layers in close contact with the padding layer
7.  The carry bag of claim 2 or 3 wherein the interconnection comprises welding of the layers along the fold line.  
8. The carry bag of any one of claims 1 to 7 wherein the side wall includes an end panel formed of the flexible sheet material, the end panel having a plurality of second fold lines in substantially parallel spaced relationship across the width of the end panel. 
9.  The carry bag of claim 8 wherein the end panel includes an intermediate fold line aligned with the fold line of the side wall.
10.  The carry bag of claim 9 wherein the second fold lines include fold lines disposed to each side of the intermediate fold line and substantially parallel thereto.  
11.   The carry bag of claim 10 wherein the second fold lines are formed by stitching interconnecting the outer layers of the material forming the end panel.
12.   The carry bag of any one of claims 8 to 11 wherein the end panel includes a central fold line substantially perpendicular to the intermediate fold line.  
13.   The carry bag of claim 12 wherein the central fold line is formed by stitching interconnecting the outer layers of the material forming the end panel.
14.   The carry bag of any one of claims 8 to 13 wherein in the region of the side wall adjacent each end of the end panel, the side wall is formed with a pair of divergent fold lines which extend from the intermediate fold line towards the end panel in a divergent manner.
15.   The carry bag of any one of claims 8 to 14 wherein the end panel forms an integral part of the side wall.  
16.  The carry bag of any one of claims 8 to 14 wherein the end panel is defined as a separate panel incorporated into the side wall.
17.   The carry bag of any one of claims 1 to 16 wherein the major panels are formed of the flexible sheet material.  
18.  The carry bag of any one of claims 1 to 16 wherein the major panels are substantially rigid.
19.   The carry bag of any one of claims 1 to 18 wherein one of the major panels includes a closure substantially extending around the perimeter of the major panel to provide access into the interior of the carry bag.
20.   The carry bag of any one of claims 1 to 19 wherein the major panels have the general configuration of a surfboard which is to be carried by the bag in that the panels are shaped to substantially correspond to the shape of the surfboard.
21.    The carry bag of claim 20 wherein the side wall is of varying widths such that when the carry bag accommodates a surfboard having a tail fin at the rear end, the bag can accommodate the tail fin.  
22.   The carry bag of claim 21 wherein the side wall is generally tapered from the rear end to the front end of the carry bag. 
23.   The carry bag of any one of claims 1 to 22 wherein the edges of the side wall adjacent the major panels are provided with a set of fasteners which enable the edges of the major panels to be held in close abutting relationship when the side wall is folded inwardly of the edges.  
24.   A carry bag intended to accommodate a surfboard, the bag comprising a pair of major panels which have the general configuration of the surfboard to be accommodated by the bag, the major panels being interconnected around their perimeter by a side wall formed of a flexible sheet material, a fold line being formed for substantially the full extent of the side wall substantially intermediate to the major panels for folding the side wall inwardly, wherein the flexible sheet material comprises outer layers of a suitable fabric or sheet-like material and an inner padding layer and wherein the fold line is defined by stitching extending between the outer layers of the side wall and holding these layers in close contact with the padding layer.
25.   The carry bag of claim 24 wherein the side wall includes an end panel formed of the flexible sheet material, the end panel having an intermediate fold line aligned with the fold line of the side wall and second fold lines disposed to each side of the intermediate fold line and substantially parallel thereto.  
26.   The carry bag of claim 25 wherein the end panel includes a central fold line substantially perpendicular to the intermediate fold line.  
27.    The carry bag of claim 25 or 26 wherein in the region of the side wall adjacent each end of the end panel, the side wall is formed with a pair of divergent fold lines which extend from the intermediate fold line towards the end panel in a divergent manner.
28.   The carry bag of any one of claims 24 to 27 wherein the end panel forms an integral part of the side wall.  
29.   The carry bag of any one of claims 24 to 28 wherein the major panels are formed with the flexible sheet material.  
30.   The carry bag of any one of claims 24 to 28 wherein the major panels are substantially rigid.
31.    The carry bag of any one of claims 24 to 30 wherein the side wall is generally tapered from the rear end to the front end of the carry bag such that when the carry bag accommodates a surfboard having a tail fin at the rear end, the bag can accommodate the tail fin. 
32.   The carry bag of any one of claims 24 to 31 wherein the edges of the side wall adjacent the major panels are provided with a set of fasteners which enable the edges of the major panels to be held in close abutting relationship when the side wall is folded inwardly of the edges.
33.  A carry bag intended to accommodate a surfboard, the bag comprising a pair of major panels which have the general configuration of the surfboard to be accommodated by the bag, the major panels being interconnected around their perimeter by a side wall formed of a flexible sheet material, a fold line being formed for substantially the full extent of the side wall substantially intermediate to the major panels for folding the side wall inwardly, wherein the side wall is generally tapered from the rear end to the front end of the carry bag such that when the carry bag accommodates the surfboard having a tail fin at the rear end, the bag can accommodate the tail fin, wherein the side wall includes an end panel formed of the flexible sheet material, the end panel having an intermediate fold line aligned with the fold line of the side wall and second fold lines disposed to each side of the intermediate fold line and substantially parallel thereto for folding the end panel inwardly, the end panel further including a central fold line substantially perpendicular to the intermediate fold line and wherein in the region of the side wall adjacent each end of the end panel, the side wall is formed with a pair of divergent fold lines which extend from the intermediate fold line towards the end panel in a divergent manner.
34.   The carry bag of claim 33 wherein the flexible sheet material comprises outer layers of a suitable fabric or sheet-like material and an inner padding layer and wherein the fold line is defined by stitching extending between the outer layers of the side wall and holding these layers in close contact with the padding layer.
35.    The carry bag of claim 33 wherein the edges of the side wall adjacent the major panels are provided with a set of fasteners which enable the edges of the major panels to be held in close abutting relationship when the side wall is folded inwardly of the edges. 
36.       A carry bag substantially as herein described with reference to Figures 1 to 4D of the accompanying drawings.
１  Abstruct
Abstract
A carry bag (10) intended to accommodate an item, the bag (10) comprising a pair of major panels (11, 13)  which have the general configuration of the item to be accommodated by the bag (10), the major panels (11, 13) being interconnected around their perimeter by a side wall (15) formed of a flexible sheet material, a fold line (21) being formed for substantially the full extent of the side wall (15) intermediate to the major panels (11, 13).
２  Representative Drawing
Fig1
Fig１
2007105473.tif 000008
Fig２
2007105473.tif 000009
Fig３
2007105473.tif 000010
Fig４
2007105473.tif 000011
Fig５
2007105473.tif 000012